(57)【要約】【課題】最小限の設備投資、省スペースでＩＣカードの店舗での即時発行を可能にできる。【解決手段】携帯通信端末と管理サーバとを備え、  携帯通信端末は、ＩＣカード鍵が未書き込みのＩＣカードからＩＣカード情報を取得する手段と、管理サーバへＩＣカード情報を送信する手段と、管理サーバーからＩＣカード鍵を受信する手段と、ＩＣカード鍵が未書き込みのＩＣカードへＩＣカード鍵を書き込んでＩＣカードを発行する手段とを有することを特徴とするＩＣカード発行システム。【選択図】図１
2015203910.tif 000002
【特許請求の範囲】
【請求項１】
携帯通信端末と管理サーバとを備え、
携帯通信端末は、ＩＣカード鍵が未書き込みのＩＣカードからＩＣカード情報を取得する手段と、管理サーバへＩＣカード情報を送信する手段と、管理サーバーからＩＣカード鍵を受信する手段と、ＩＣカード鍵が未書き込みのＩＣカードへＩＣカード鍵を書き込んでＩＣカードを発行する手段とを有することを特徴とするＩＣカード発行システム。
【請求項２】
管理サーバは、ＩＣカード情報と紐付けられているＩＣカード鍵、ＩＣカード情報と紐付けられていないＩＣカード鍵のいずれか、或いは両方を記憶する記憶部と、携帯通信端末からＩＣカード情報を受信する手段と、前記記憶部からＩＣカード情報と紐付けられていないＩＣカード鍵を一つ取得する手段と、取得したＩＣカード鍵を携帯通信端末へ送信する手段と、取得したＩＣカード鍵を携帯通信端末から受信したＩＣカード情報と紐付けて前記記憶部に記憶する手段とを有することを特徴とする請求項１記載のＩＣカード発行システム。
【請求項３】
携帯通信端末は、ＩＣカード鍵が未書き込みのＩＣカードへＩＣカード鍵を正常に書き込んでＩＣカードを発行した場合に、管理サーバへ発行終了通知を送信する手段を有し、
管理サーバは、携帯通信端末から発行終了通知を受信する手段と、携帯通信端末に送信したＩＣカード鍵に、携帯通信端末から受信した発行終了通知を紐付けて前記記憶部に記憶する手段とを有することを特徴とする請求項２に記載のＩＣカード発行システム。
【請求項４】
携帯通信端末は、ＩＣカード鍵が未書き込みのＩＣカードへＩＣカード鍵を正常に書き込んでＩＣカードを発行した場合に、管理サーバに発行終了通知を送信する手段を有し、
管理サーバは、発行終了通知と紐付けられているＩＣカード鍵、発行終了通知と紐付けられていないＩＣカード鍵のいずれか、或いは両方を記憶する記憶部と、携帯通信端末からＩＣカード情報を受信する手段と、前記記憶部から発行終了通知と紐付けられていないＩＣカード鍵を一つ取得する手段と、取得したＩＣカード鍵を携帯通信端末へ送信する手段と、携帯通信端末から発行終了通知を受信する手段と、携帯通信端末に送信したＩＣカード鍵に、携帯通信端末から受信した発行終了通知を紐付けて前記記憶部に記憶する手段とを有することを特徴とする請求項１に記載のＩＣカード発行システム。
【請求項５】
携帯通信端末と管理サーバとでＩＣカードを発行する方法であって、
携帯通信端末が、ＩＣカード鍵が未書き込みのＩＣカードからＩＣカード情報を取得する工程と、
携帯通信端末が、管理サーバへＩＣカード情報を送信する工程と、
携帯通信端末が、管理サーバーからＩＣカード鍵を受信する工程と、
携帯通信端末が、ＩＣカード鍵が未書き込みのＩＣカードへＩＣカード鍵を書き込んでＩＣカードを発行する工程とを含むことを特徴とするＩＣカード発行方法。
【請求項６】
管理サーバは、ＩＣカード情報と紐付けられているＩＣカード鍵、ＩＣカード情報と紐付けられていないＩＣカード鍵のいずれか、或いは両方を記憶する記憶部を有し、
管理サーバが、携帯通信端末からＩＣカード情報を受信する工程と、
管理サーバが、前記記憶部からＩＣカード情報と紐付けられていないＩＣカード鍵を一つ取得する工程と、
管理サーバが、取得したＩＣカード鍵を携帯通信端末へ送信する工程と、
管理サーバが、取得したＩＣカード鍵を携帯通信端末から受信したＩＣカード情報と紐付けて前記記憶部に記憶する工程とを含むことを特徴とする請求項５に記載のＩＣカード発行方法。
【請求項７】
携帯通信端末が、ＩＣカード鍵が未書き込みのＩＣカードへＩＣカード鍵を正常に書き込んでＩＣカードを発行した場合に、管理サーバへ発行終了通知を送信する工程と、
管理サーバが、携帯通信端末から発行終了通知を受信する工程と、
管理サーバが、携帯通信端末に送信したＩＣカード鍵に、携帯通信端末から受信した発行終了通知を紐付けて前記記憶部に記憶する工程とを含むことを特徴とする請求項６に記載のＩＣカード発行方法。
【請求項８】
管理サーバは、発行終了通知と紐付けられているＩＣカード鍵、発行終了通知と紐付けられていないＩＣカード鍵のいずれか、或いは両方を記憶する記憶部を有し、
管理サーバが、携帯通信端末からＩＣカード情報を受信する工程と、
管理サーバが、前記記憶部から発行終了通知と紐付けられていないＩＣカード鍵を一つ取得する工程と、
管理サーバが、取得したＩＣカード鍵を携帯通信端末へ送信する工程と、
携帯通信端末が、ＩＣカード鍵が未書き込みのＩＣカードへＩＣカード鍵を正常に書き込んでＩＣカードを発行した場合に、管理サーバに発行終了通知を送信する工程と、
管理サーバが、携帯通信端末から発行終了通知を受信する工程と、
管理サーバが、携帯通信端末に送信したＩＣカード鍵に、携帯通信端末から受信した発行終了通知を紐付けて前記記憶部に記憶する工程とを含むことを特徴とする請求項７に記載のＩＣカード発行方法。
【発明の詳細な説明】
【技術分野】
【０００１】
本発明は、ＩＣカード発行システム及び方法に関する。
【背景技術】
【０００２】
従来、ＩＣカードはＩＣカード会社でＩＣカードに必要なデータを書き込む発行処理（例えば特許文献１参照）を行い、発行されたＩＣカードをユーザーに送付することで、ユーザーが使用できる状態としていた。
【０００３】
また、近年即時に発行する要望が出てきており、店舗に発行装置を設置し、ユーザーが申し込んだら即時にＩＣカードを発行するシステムも提案されてきている（例えば特許文献２又は３参照）。
【０００４】
しかし、店舗で即時に発行する場合、大掛かりな発行装置を設置することが必要になり、コスト的、場所的なデメリットがある。
【先行技術文献】
【特許文献】
【０００５】
【特許文献１】特開昭６３−１５９９９１号公報
【特許文献２】特開２００２−２４９２０号公報
【特許文献３】特開２００３−２０３２０７号公報
【発明の概要】
【発明が解決しようとする課題】
【０００６】
本発明は、このような事情を考慮してなされたもので、最小限の設備投資、省スペースでＩＣカードの店舗での即時発行を可能にできることを課題とする。
【課題を解決するための手段】
【０００７】
本発明において上記課題を解決するために、まず請求項１の発明では、
携帯通信端末と管理サーバとを備え、
携帯通信端末は、ＩＣカード鍵が未書き込みのＩＣカードからＩＣカード情報を取得する手段と、管理サーバへＩＣカード情報を送信する手段と、管理サーバーからＩＣカード鍵を受信する手段と、ＩＣカード鍵が未書き込みのＩＣカードへＩＣカード鍵を書き込んでＩＣカードを発行する手段とを有することを特徴とするＩＣカード発行システムとしたものである。
【０００８】
また請求項２の発明では、
管理サーバは、ＩＣカード情報と紐付けられているＩＣカード鍵、ＩＣカード情報と紐付けられていないＩＣカード鍵のいずれか、或いは両方を記憶する記憶部と、携帯通信端末からＩＣカード情報を受信する手段と、前記記憶部からＩＣカード情報と紐付けられていないＩＣカード鍵を一つ取得する手段と、取得したＩＣカード鍵を携帯通信端末へ送信する手段と、取得したＩＣカード鍵を携帯通信端末から受信したＩＣカード情報と紐付けて前記記憶部に記憶する手段とを有することを特徴とする請求項１記載のＩＣカード発行システムとしたものである。
【０００９】
また請求項３の発明では、
携帯通信端末は、ＩＣカード鍵が未書き込みのＩＣカードへＩＣカード鍵を正常に書き込んでＩＣカードを発行した場合に、管理サーバへ発行終了通知を送信する手段を有し、
管理サーバは、携帯通信端末から発行終了通知を受信する手段と、携帯通信端末に送信したＩＣカード鍵に、携帯通信端末から受信した発行終了通知を紐付けて前記記憶部に記憶する手段とを有することを特徴とする請求項２に記載のＩＣカード発行システムとしたものである。
【００１０】
また請求項４の発明では、
携帯通信端末は、ＩＣカード鍵が未書き込みのＩＣカードへＩＣカード鍵を正常に書き込んでＩＣカードを発行した場合に、管理サーバに発行終了通知を送信する手段を有し、
管理サーバは、発行終了通知と紐付けられているＩＣカード鍵、発行終了通知と紐付けられていないＩＣカード鍵のいずれか、或いは両方を記憶する記憶部と、携帯通信端末からＩＣカード情報を受信する手段と、前記記憶部から発行終了通知と紐付けられていないＩＣカード鍵を一つ取得する手段と、取得したＩＣカード鍵を携帯通信端末へ送信する手段と、携帯通信端末から発行終了通知を受信する手段と、携帯通信端末に送信したＩＣカード鍵に、携帯通信端末から受信した発行終了通知を紐付けて前記記憶部に記憶する手段とを有することを特徴とする請求項１に記載のＩＣカード発行システムとしたものである。
【００１１】
また請求項５の発明では、
携帯通信端末と管理サーバとでＩＣカードを発行する方法であって、
携帯通信端末が、ＩＣカード鍵が未書き込みのＩＣカードからＩＣカード情報を取得する工程と、
携帯通信端末が、管理サーバへＩＣカード情報を送信する工程と、
携帯通信端末が、管理サーバーからＩＣカード鍵を受信する工程と、
携帯通信端末が、ＩＣカード鍵が未書き込みのＩＣカードへＩＣカード鍵を書き込んでＩＣカードを発行する工程とを含むことを特徴とするＩＣカード発行方法としたものである。
【００１２】
また請求項６の発明では、
管理サーバは、ＩＣカード情報と紐付けられているＩＣカード鍵、ＩＣカード情報と紐付けられていないＩＣカード鍵のいずれか、或いは両方を記憶する記憶部を有し、
管理サーバが、携帯通信端末からＩＣカード情報を受信する工程と、
管理サーバが、前記記憶部からＩＣカード情報と紐付けられていないＩＣカード鍵を一つ取得する工程と、
管理サーバが、取得したＩＣカード鍵を携帯通信端末へ送信する工程と、
管理サーバが、取得したＩＣカード鍵を携帯通信端末から受信したＩＣカード情報と紐付けて前記記憶部に記憶する工程とを含むことを特徴とする請求項５に記載のＩＣカード発行方法としたものである。
【００１３】
また請求項７の発明では、
携帯通信端末が、ＩＣカード鍵が未書き込みのＩＣカードへＩＣカード鍵を正常に書き込んでＩＣカードを発行した場合に、管理サーバへ発行終了通知を送信する工程と、
管理サーバが、携帯通信端末から発行終了通知を受信する工程と、
管理サーバが、携帯通信端末に送信したＩＣカード鍵に、携帯通信端末から受信した発行終了通知を紐付けて前記記憶部に記憶する工程とを含むことを特徴とする請求項６に記載のＩＣカード発行方法としたものである。
【００１４】
また請求項８の発明では、
管理サーバは、発行終了通知と紐付けられているＩＣカード鍵、発行終了通知と紐付けられていないＩＣカード鍵のいずれか、或いは両方を記憶する記憶部を有し、
管理サーバが、携帯通信端末からＩＣカード情報を受信する工程と、
管理サーバが、前記記憶部から発行終了通知と紐付けられていないＩＣカード鍵を一つ取得する工程と、
管理サーバが、取得したＩＣカード鍵を携帯通信端末へ送信する工程と、
携帯通信端末が、ＩＣカード鍵が未書き込みのＩＣカードへＩＣカード鍵を正常に書き込んでＩＣカードを発行した場合に、管理サーバに発行終了通知を送信する工程と、
管理サーバが、携帯通信端末から発行終了通知を受信する工程と、
管理サーバが、携帯通信端末に送信したＩＣカード鍵に、携帯通信端末から受信した発行終了通知を紐付けて前記記憶部に記憶する工程とを含むことを特徴とする請求項７に記載のＩＣカード発行方法としたものである。
【発明の効果】
【００１５】
請求項１及び５に係る発明は、店舗に携帯通信端末とＩＣカード鍵が未書き込みのＩＣカードとを用意すればＩＣカードを即時に発行可能であるという効果がある。
【００１６】
請求項２、４、６、及び８に係る発明は、上記請求項１及び５に係る発明の効果に加えて、発行された個々のＩＣカードごとに、書き込まれているＩＣカード鍵が異なるという効果がある。
【００１７】
請求項３及び７に係る発明は、上記請求項１及び５に係る発明の効果に加えて、ＩＣカードの発行が正常に終了したことを容易に管理できるという効果がある。
【００１８】
以上、本発明は、最小限の設備投資、省スペースでＩＣカードの店舗での即時発行を可能にできるという効果がある。
【図面の簡単な説明】
【００１９】
【図１】本発明のＩＣカード発行システムのハードウエア構成とＩＣカード発行の様子とを説明するブロック図。
【図２】管理サーバのハードウエア構成を説明するブロック図。
【図３】ＩＣカード鍵のＩＣカード情報との紐付け表を示す図。
【図４】ＩＣカード鍵のＩＣカード情報及び発行終了通知との紐付け表を示す図。
【図５】ＩＣカード鍵の発行終了通知との紐付け表を示す図。
【図６】ＩＣカード情報と申込情報との紐付け表を示す図。
【図７】携帯通信端末のハードウエア構成を説明するブロック図。
【図８】発行終了通知処理の流れの例を示す図。
【図９】ＩＣカード発行処理の流れの例を示す図。
【図１０】ＩＣカード発行処理の流れの他の例を示す図。
【発明を実施するための形態】
【００２０】
以下に、本発明の一実施形態を説明する。
【００２１】
１．ＩＣカード発行システム
本発明のＩＣカード発行システムは、図１に示すように、携帯通信端末と、ネットワークを介して携帯通信端末から接続される管理サーバとを備え、生ＩＣカードにＩＣカード鍵を書き込んでＩＣカードを発行するものである。
【００２２】
２．ＩＣカード
生ＩＣカードは、ＣＰＵとメモリとを有し近接通信可能なＩＣチップを備え、このＩＣチップのメモリにＩＣカード鍵以外の全てのデータが記憶されているＩＣカードである。このＩＣチップのメモリに記憶されているＩＣカード鍵以外の全てのデータには、ＩＣカード情報が含まれる。ＩＣカード情報は、ＩＣカードに係り、ＩＣカードを特定する情報であって、例えば、ＩＣカードを唯一に識別するＩＣカードＩＤ等が挙げられる。また、このＩＣチップのメモリには、このＩＣチップのＣＰＵが実行するＩＣカード用アプリケーションプログラムが記憶されている。このＩＣカード用アプリケーションプログラムの一例として、後述するＩＣカード発行処理のうち、ＩＣカードが担う部分を、ＩＣカードに行わせるＩＣカード用ＩＣカード発行プログラムを記憶している。
【００２３】
生ＩＣカードは、事前にＩＣカード会社等で製造され、店舗に持ってきたものである。
【００２４】
ＩＣカード鍵は、ＩＣカードの運用時に用いるＩＣカードの暗号鍵であって、個々のＩＣカードに固有のものである。
【００２５】
生ＩＣカードのＩＣチップのメモリに、ＩＣカード固有のＩＣカード鍵を書き込むことで、最終的に使用可能な発行済みのＩＣカードとなる。
【００２６】
３．管理サーバ
管理サーバは、図２に示すように、制御部、一時記憶部、記憶部、通信部等を有するコンピュータである。
【００２７】
制御部は、管理サーバが有する各部を制御し、記憶部からプログラムを一時記憶部にロードして実行する装置であって、例えばＣＰＵである。
【００２８】
一時記憶部は、一時的にデータやプログラムを記憶する装置であって、例えばＲＡＭである。上述のように、制御部が実行するプログラムは、一時記憶部に、一時的に記憶される。
【００２９】
記憶部は、データやプログラムを永続的に記憶する装置である。
【００３０】
通信部は、ネットワークを介して、携帯通信端末とデータ通信を行う装置である。
【００３１】
記憶部には、図３に示すＩＣカード鍵のＩＣカード情報との紐付け表が記憶されていても良い。
【００３２】
図３に示すＩＣカード鍵のＩＣカード情報との紐付け表では、個々のＩＣカード鍵を、項目「ＩＣカード鍵」の値とし、個々のＩＣカード情報を、項目「ＩＣカード情報」の値とし、項目「ＩＣカード情報」の値が空白でない行のＩＣカード鍵は、同じ行のＩＣカード情報と紐付けられていることを意味し、項目「ＩＣカード情報」の値が空白である行のＩＣカード鍵は、未だにＩＣカード情報と紐付けられていないことを意味する。そして、
ＩＣカード情報と紐付けられたＩＣカード鍵は、このＩＣカード情報を記憶しているＩＣカードを発行するために、既に、使われているものであり、ＩＣカード情報と紐付けられていないＩＣカード鍵は、未だに、ＩＣカードを発行するために使われていないことを意味する。
【００３３】
また、記憶部には、図３に示すＩＣカード鍵のＩＣカード情報との紐付け表の代わりに、図４に示すＩＣカード鍵のＩＣカード情報及び発行終了通知との紐付け表が記憶されていても良い。
【００３４】
図４に示すＩＣカード鍵のＩＣカード情報及び発行終了通知との紐付け表は、図３に示すＩＣカード鍵のＩＣカード情報との紐付け表に、項目「発行終了通知」を追加したものである。項目「発行終了通知」は、その値を、個々の発行終了通知とするものである。項目「発行終了通知」の値が空白でない行のＩＣカード鍵は、同じ行の発行終了通知と紐付けられていることを意味し、項目「発行終了通知」の値が空白である行のＩＣカード鍵は、未だに発行終了通知と紐付けられていないことを意味する。そして、発行終了通知に紐付けられているＩＣカード鍵は、このＩＣカード鍵に紐付けられているＩＣカード情報が記憶されているＩＣカードの発行が既に正常に終了したことを意味し、発行終了通知に紐付けられていないＩＣカード鍵は、このＩＣカード鍵に紐付けられているＩＣカード情報があれば、このＩＣカード情報が記憶されているＩＣカードの発行が未だに正常に終了していないことを意味し、このＩＣカード鍵に紐付けられているＩＣカード情報がなければ、未だに、ＩＣカードを発行するために使われていないことを意味する。
【００３５】
また、記憶部には、図３に示すＩＣカード鍵のＩＣカード情報との紐付け表が記憶されている代わりに、或いは、図４に示すＩＣカード鍵のＩＣカード情報及び発行終了通知との紐付け表が記憶されている代わりに、図５に示すＩＣカード鍵の発行終了通知との紐付け表が記憶されていても良い。
【００３６】
図５に示すＩＣカード鍵の発行終了通知との紐付け表は、図３に示すＩＣカード鍵のＩＣカード情報との紐付け表において、項目「ＩＣカード情報」の代わりに項目「発行終了通知」を設けたものである。項目「発行終了通知」は、その値を、個々の発行終了通知とするものである。項目「発行終了通知」の値が空白でない行のＩＣカード鍵は、同じ行の発行終了通知と紐付けられていることを意味し、項目「発行終了通知」の値が空白である行のＩＣカード鍵は、未だに発行終了通知と紐付けられていないことを意味する。そして、発行終了通知に紐付けられているＩＣカード鍵は、既に正常に終了したＩＣカードの発行に使われたことを意味し、発行終了通知に紐付けられていないＩＣカード鍵は、既に正常に終了したＩＣカードの発行には使われていないことを意味する。
【００３７】
また、記憶部には、図６に示すＩＣカード情報と申込情報との紐付け表が記憶されている。
【００３８】
図６に示すＩＣカード情報と申込情報との紐付け表では、個々のＩＣカード情報を、項目「ＩＣカード情報」の値とし、個々の申込情報を、項目「申込情報」の値とし、項目「ＩＣカード情報」、項目「申込情報」、それぞれの値は、同じ行にあるものが、互いに紐付けられていることを意味する。ここで、申込情報は、ＩＣカード申込者に係り、ＩＣカード申込者を特定する情報であって。例えば、氏名、年齢、性別、住所等が挙げられる。そして、互いに紐付けられたＩＣカード情報と申込情報とは、このＩＣカード情報が記憶されているＩＣカードが、この申込情報で特定されるＩＣカード申込者に、発行されていることを意味する。
【００３９】
また、記憶部には、認証鍵が記憶されていても良い。この認証鍵は、管理サーバと携帯
通信端末とが相互認証を行うための暗号鍵である。
【００４０】
さらに、記憶部には、後述するＩＣカード発行処理のうち、管理サーバが担う部分を、管理サーバに行わせる管理サーバ用ＩＣカード発行プログラムを記憶している。
【００４１】
４．携帯通信端末
携帯通信端末は、図７に示すように、制御部、一時記憶部、記憶部、通信部、入力部、表示部、近接通信部等を有する。
【００４２】
携帯通信端末には、例えば、タブレットＰＣ、スマートフォン等が挙げられる。
【００４３】
制御部は、携帯通信端末が有する各部を制御し、記憶部からプログラムを一時記憶部にロードして実行する装置であって、例えばＣＰＵである。
【００４４】
一時記憶部は、一時的にデータやプログラムを記憶する装置であって、例えばＲＡＭである。上述のように、制御部が実行するプログラムは、一時記憶部に、一時的に記憶される。
【００４５】
記憶部は、データやプログラムを永続的に記憶する装置である。
【００４６】
通信部は、ネットワークを介して、管理サーバとデータ通信を行う装置である。
【００４７】
入力部は、データを入力する装置であって、例えば、タッチパネル、キーボード等である。
【００４８】
表示部は、データを表示する装置であって、例えば、ディスプレイである。
【００４９】
近接通信部は、ＩＣカードに近接した状態で、ＩＣカードへのデータの書き込み、ＩＣカードからのデータの読み出し等のＩＣカードとのデータ通信を行う装置である。
【００５０】
記憶部には、端末ＩＤ、認証鍵等が記憶されている。
【００５１】
端末ＩＤは、携帯情報端末を唯一に識別するＩＤである。
【００５２】
認証鍵は、ＩＣカードとの相互認証、管理サーバとの相互認証に用いる暗号鍵である。
【００５３】
さらに、記憶部には、後述するＩＣカード発行処理のうち、携帯通信端末が担う部分を、携帯通信端末に行わせる携帯通信端末用ＩＣカード発行プログラムを記憶している。
【００５４】
５．ＩＣカード発行処理
以下に、管理サーバの記憶部に、図３に示すＩＣカード鍵のＩＣカード情報との紐付け表、又は、図４に示すＩＣカード鍵のＩＣカード情報及び発行終了との紐付け表が記憶されている場合、ＩＣカード発行処理の流れの例を、図９のフローチャートに従って説明する。
【００５５】
Ｓ（ＳＴＥＰ）１；
携帯通信端末の制御部は、入力部からカード申込者の申込情報が入力されると、この申込情報を一時記憶部で記憶する。この申込情報は、上述したように、ＩＣカード申込者に係り、ＩＣカード申込者を特定する情報であって。例えば、氏名、年齢、性別、住所等が挙げられる。
【００５６】
Ｓ（ＳＴＥＰ）２；
携帯通信端末の制御部は、近接通信部を介して、生ＩＣカードに対して、ＩＣカード情報の送信を要求する。
【００５７】
尚、このＳＴＥＰ２を開始する前に、携帯通信端末の制御部は、近接通信部を介して、認証鍵を用いて、生ＩＣカードと相互認証を行い、認証に成功したら、このＳＴＥＰ２を開始するようにしても良い。
【００５８】
Ｓ（ＳＴＥＰ）３；
生ＩＣカードは、ＩＣカード情報の送信要求を受けると、その生ＩＣカードのメモリからＩＣカード情報を読み出して携帯通信端末に返信する。
【００５９】
Ｓ（ＳＴＥＰ）４；
携帯通信端末の制御部は、近接通信部を介して、ＩＣカード情報を受信して一時記憶部に記憶する。
【００６０】
Ｓ（ＳＴＥＰ）５；
携帯通信端末の制御部は、生ＩＣカードから受信して一時記憶部記憶しているＩＣカード情報と、入力されて一時記憶部記憶している申込情報とを、通信部を介して、管理サーバに送信する。
【００６１】
尚、このＳＴＥＰ５を開始する前に、携帯通信端末の制御部は、通信部を介して、認証鍵を用いて、管理サーバと相互認証を行い、認証に成功したら、このＳＴＥＰ５を開始しても良い。
【００６２】
また、相互認証時には携帯通信端末の端末ＩＤを用いた認証も行なっても良い。携帯通信端末の端末ＩＤを用いた認証も行うことで、どの携帯通信端末とデータ通信をしているのかを管理サーバの方で把握できるため好ましい。
【００６３】
Ｓ（ＳＴＥＰ）６；
管理サーバの制御部は、通信部を介して、携帯通信端末からＩＣカード情報と申込情報とを受信して一時記憶部に記憶する。
【００６４】
Ｓ（ＳＴＥＰ）７；
管理サーバの制御部は、図６に示すＩＣカード情報と申込情報との紐付け表に、携帯通信端末から受信して一時記憶部に記憶しているＩＣカード情報と申込情報とを紐付ける行を追加することで、これらＩＣカード情報と申込情報とを紐付けて記憶部に記憶する。
【００６５】
Ｓ（ＳＴＥＰ）８；
管理サーバの制御部は、図３に示すＩＣカード鍵のＩＣカード情報との紐付け表、又は、図４に示すＩＣカード鍵のＩＣカード情報及び発行終了との紐付け表から、ＩＣカード情報と紐付けられていないＩＣカード鍵を検索し、ＩＣカード情報と紐付けられていないＩＣカード鍵の中のから１つを取得して一時記憶部に記憶する。
【００６６】
Ｓ（ＳＴＥＰ）９；
管理サーバの制御部は、図３に示すＩＣカード鍵のＩＣカード情報との紐付け表、又は、図４に示すＩＣカード鍵のＩＣカード情報及び発行終了との紐付け表で、取得して一時記憶部に記憶しているＩＣカード鍵と同じ行にある項目「ＩＣカード情報」の値を、空白から、携帯通信端末から受信して一時記憶部記憶しているＩＣカード情報に変更することで、取得したＩＣカード鍵を、携帯通信端末から受信して一時記憶部記憶しているＩＣカード情報と紐付けて記憶部に記憶する。
【００６７】
このように、取得して一時記憶部に記憶しているＩＣカード鍵を、携帯通信端末から受信して一時記憶部記憶しているＩＣカード情報と紐付けることで、同じＩＣカード鍵を複数のＩＣカードの発行に使用することを防止できる。
【００６８】
Ｓ（ＳＴＥＰ）１０；
管理サーバの制御部は、取得して一時記憶部に記憶したＩＣカード鍵と、携帯通信端末から受信して一時記憶部に記憶しているＩＣカード情報とを、通信部を介して、携帯通信端末に送信する。
【００６９】
Ｓ（ＳＴＥＰ）１１；
携帯通信端末の制御部は、通信部を介して、管理サーバから、ＩＣカード鍵と、ＩＣカード情報とを受信して一時記憶部に記憶する。
【００７０】
Ｓ（ＳＴＥＰ）１２；
携帯通信端末の制御部は、近接通信部を介して、管理サーバから受信して一時記憶部に記憶しているＩＣカード鍵とＩＣカード情報とを生ＩＣカードに送信する。
【００７１】
Ｓ（ＳＴＥＰ）１３；
生ＩＣカードは、携帯通信端末から、ＩＣカード鍵とＩＣカード情報とを受信する。
【００７２】
Ｓ（ＳＴＥＰ）１４；
生ＩＣカードは、携帯通信端末から受信したＩＣカード情報が、この生ＩＣカードのメモリに記憶しているＩＣカード情報と一致することを確認し、一致したら、このＩＣカード情報と一緒に携帯通信端末から受信したＩＣカード鍵を、この生ＩＣカードのメモリに書き込み、ＩＣカードの発行を完了させる。
【００７３】
尚、管理サーバの記憶部に、図４に示すＩＣカード鍵のＩＣカード情報及び発行終了通知との紐付け表が記憶されている場合、ＩＣカードの発行が正常に終了したら、図８のフローチャートに示すような、発行終了通知処理を行って、ＩＣカード鍵を発行終了通知と紐付けいても良い。
【００７４】
Ｓ（ＳＴＥＰ）１；
携帯通信端末の制御部は、通信部を介して、発行終了通知を、管理サーバに送信する。
【００７５】
発行終了通知の送信は、携帯通信端末がＩＣカード鍵を生ＩＣカードに送信した段階か、或いは、携帯通信端末がＩＣカードの発行が正常に終了したことを確認した後に行っても良い。
【００７６】
Ｓ（ＳＴＥＰ）２；
管理サーバの制御部は、携帯通信端末から、通信部を介して、発行終了通知を受信して一時記憶部に記憶する。
【００７７】
Ｓ（ＳＴＥＰ）３；
管理サーバの制御部は、図４に示すＩＣカード鍵のＩＣカード情報及び発行終了通知との紐付け表で、一時記憶部に記憶していて携帯通信端末に送信したＩＣカード鍵と同じ行にある項目「発行終了通知」の値を、空白から、携帯通信端末から受信して一時記憶部に記憶している発行終了通知に変更することで、ＩＣカード鍵を発行終了通知と紐付けて記
憶部に記憶する。
【００７８】
尚、エラーが発生した時は、携帯通信端末から管理サーバへエラー情報を送信する。
【００７９】
次に、以下に、管理サーバの記憶部に、図５に示すＩＣカード鍵の発行終了通知との紐付け表が記憶されている場合、ＩＣカード発行処理の流れの例を、図１０のフローチャートに従って説明する。
【００８０】
Ｓ（ＳＴＥＰ）１；
携帯通信端末の制御部は、入力部からカード申込者の申込情報が入力されると、この申込情報を一時記憶部で記憶する。この申込情報は、上述したように、ＩＣカード申込者に係り、ＩＣカード申込者を特定する情報であって。例えば、氏名、年齢、性別、住所等が挙げられる。
【００８１】
Ｓ（ＳＴＥＰ）２；
携帯通信端末の制御部は、近接通信部を介して、生ＩＣカードに対して、ＩＣカード情報の送信を要求する。
【００８２】
尚、このＳＴＥＰ２を開始する前に、携帯通信端末の制御部は、近接通信部を介して、認証鍵を用いて、生ＩＣカードと相互認証を行い、認証に成功したら、このＳＴＥＰ２を開始するようにしても良い。
【００８３】
Ｓ（ＳＴＥＰ）３；
生ＩＣカードは、ＩＣカード情報の送信要求を受けると、その生ＩＣカードのメモリからＩＣカード情報を読み出して携帯通信端末に返信する。
【００８４】
Ｓ（ＳＴＥＰ）４；
携帯通信端末の制御部は、近接通信部を介して、ＩＣカード情報を受信して一時記憶部に記憶する。
【００８５】
Ｓ（ＳＴＥＰ）５；
携帯通信端末の制御部は、生ＩＣカードから受信して一時記憶部記憶しているＩＣカード情報と、入力されて一時記憶部記憶している申込情報とを、通信部を介して、管理サーバに送信する。
【００８６】
尚、このＳＴＥＰ５を開始する前に、携帯通信端末の制御部は、通信部を介して、認証鍵を用いて、管理サーバと相互認証を行い、認証に成功したら、このＳＴＥＰ５を開始しても良い。
【００８７】
また、相互認証時には携帯通信端末の端末ＩＤを用いた認証も行なっても良い。携帯通信端末の端末ＩＤを用いた認証も行うことで、どの携帯通信端末とデータ通信をしているのかを管理サーバの方で把握できるため好ましい。
【００８８】
Ｓ（ＳＴＥＰ）６；
管理サーバの制御部は、通信部を介して、携帯通信端末からＩＣカード情報と申込情報とを受信して一時記憶部に記憶する。
【００８９】
Ｓ（ＳＴＥＰ）７；
管理サーバの制御部は、図６に示すＩＣカード情報と申込情報との紐付け表に、携帯通信端末から受信して一時記憶部に記憶しているＩＣカード情報と申込情報とを紐付ける行
を追加することで、これらＩＣカード情報と申込情報とを紐付けて記憶部に記憶する。
【００９０】
Ｓ（ＳＴＥＰ）８；
管理サーバの制御部は、図５に示すＩＣカード鍵の発行終了との紐付け表から、項目「発行終了」の値が空白であって発行終了と紐付けられていないＩＣカード鍵を検索し、項目「発行終了」の値が空白であって発行終了と紐付けられていないＩＣカード鍵の中のから１つを取得して一時記憶部に記憶する。
【００９１】
Ｓ（ＳＴＥＰ）９；
管理サーバの制御部は、取得して一時記憶部に記憶したＩＣカード鍵と、携帯通信端末から受信して一時記憶部に記憶しているＩＣカード情報とを、通信部を介して、携帯通信端末に送信する。
【００９２】
Ｓ（ＳＴＥＰ）１０；
携帯通信端末の制御部は、通信部を介して、管理サーバから、ＩＣカード鍵と、ＩＣカード情報とを受信して一時記憶部に記憶する。
【００９３】
Ｓ（ＳＴＥＰ）１１；
携帯通信端末の制御部は、近接通信部を介して、管理サーバから受信して一時記憶部に記憶しているＩＣカード鍵とＩＣカード情報とを生ＩＣカードに送信する。
【００９４】
Ｓ（ＳＴＥＰ）１２；
携帯通信端末の制御部は、通信部を介して、発行終了通知を、管理サーバに送信する。
【００９５】
発行終了通知の送信は、携帯通信端末がＩＣカードの発行が正常に終了したことを確認した後に行っても良い。
【００９６】
Ｓ（ＳＴＥＰ）１３；
管理サーバの制御部は、携帯通信端末から、通信部を介して、発行終了通知を受信して一時記憶部に記憶する。
【００９７】
Ｓ（ＳＴＥＰ）１４；
管理サーバの制御部は、図５に示すＩＣカード鍵の発行終了通知との紐付け表で、一時記憶部に記憶していて携帯通信端末に送信したＩＣカード鍵と同じ行にある項目「発行終了通知」の値を、空白から、携帯通信端末から受信して一時記憶部に記憶している発行終了通知に変更することで、ＩＣカード鍵を発行終了通知と紐付けて記憶部に記憶する。
【００９８】
このように、取得して一時記憶部に記憶しているＩＣカード鍵を、発行終了通知と紐付けることで、同じＩＣカード鍵を複数のＩＣカードの発行に使用することを防止できる。
【００９９】
Ｓ（ＳＴＥＰ）１５；
生ＩＣカードは、携帯通信端末から、ＩＣカード鍵とＩＣカード情報とを受信する。
【０１００】
Ｓ（ＳＴＥＰ）１６；
生ＩＣカードは、携帯通信端末から受信したＩＣカード情報が、この生ＩＣカードのメモリに記憶しているＩＣカード情報と一致することを確認し、一致したら、このＩＣカード情報と一緒に携帯通信端末から受信したＩＣカード鍵を、この生ＩＣカードのメモリに書き込み、ＩＣカードの発行を完了させる。
【図１】
2015203910.tif 000003
【図２】
2015203910.tif 000004
【図３】
2015203910.tif 000005
【図４】
2015203910.tif 000006
【図５】
2015203910.tif 000007
【図６】
2015203910.tif 000008
【図７】
2015203910.tif 000009
【図８】
2015203910.tif 000010
【図９】
2015203910.tif 000011
【図１０】
2015203910.tif 000012